(57)【要約】【課題】記憶装置の故障時のダウンタイムを最小限にすることができる画像処理装置、画像処理装置のバックアップ方法、バックアッププログラム、及び記録媒体を提供する。【解決手段】画像処理装置の本体に外部記憶装置を接続することで、記憶装置のバックアップを行い、また記憶装置に故障が発生した時に故障した記憶装置と外部記憶装置との切り替えを可能としているため、画像処理装置の使用不可能なダウンタイムを最小限に抑えることができる。【選択図】図１
2009015635.tif 000002
【特許請求の範囲】
【請求項１】
本体にデータを記憶する記憶装置を備えた画像処理装置において、前記本体に外部記憶装置が接続されると前記記憶装置に記憶されたデータを前記外部記憶装置に記憶する制御手段と、前記外部記憶装置に換えて前記記憶装置を使用可能とすべく装置内部の接続を切り替える切替手段とを備えたことを特徴とする画像処理装置。
【請求項２】
画像処理装置の本体に搭載されている記憶装置のバックアップを行う場合において、汎用インターフェースを用いて外部に着脱可能なバックアップ用の外部記憶装置が取り付けられると前記本体が動作をしていないときにバックアップ動作を自動で行う制御手段と、前記記憶装置が故障した際に、手動で本体内の記憶装置と外部記憶装置とを切り替えて画像処理動作を行う切替手段とを備えたことを特徴とする画像処理装置。
【請求項３】
請求項１または２記載の画像処理装置において、制御手段は、前記外部記憶装置の容量が前記記憶装置の容量以上の場合は前記外部記憶装置を前記記憶装置と同一条件で動作させることを表示手段に表示すると共に、同一条件下での画像処理動作を行うことを特徴とする画像処理装置。
【請求項４】
請求項１または２記載の画像処理装置において、制御手段は、前記外部記憶装置の容量が前記記憶装置の容量未満の場合は前記外部記憶装置を制約付で動作させることを表示手段に表示すると共に、制約付での動作を行うことを特徴とする画像処理装置。
【請求項５】
請求項１または２記載の画像処理装置において、制御手段は、外部記憶装置にテスト書き込みと読み込みとを行い、前記記憶装置のスペックと前記外部記憶装置のスペックとを比較して、制約付での動作になるか否かの判断結果を表示手段に表示することを特徴とする画像処理装置。
【請求項６】
請求項１または２記載の画像処理装置において、制御手段は、外部記憶装置に切り替える際に、故障した前記記憶装置の電源を遮断することを特徴とする画像処理装置。
【請求項７】
請求項１または２記載の画像処理装置において、制御手段は、故障した前記記憶装置が正常な記憶装置と交換されると、前記外部記憶装置からデータを書き戻し、故障時のデータを引き継いで復旧させることを特徴とする画像処理装置。
【請求項８】
本体にデータを記憶する記憶装置を備えた画像処理装置のバックアップ方法において、前記本体に外部記憶装置が接続されると前記記憶装置に記憶されたデータを前記外部記憶装置に記憶し、切替手段により前記外部記憶装置に換えられると前記記憶装置を使用可能とすべく装置内部の接続を切り替えることを特徴とする画像処理装置のバックアップ方法。
【請求項９】
画像処理装置の本体に搭載されている記憶装置のバックアップ方法において、汎用インターフェースを用いて外部に着脱可能に取り付けられたバックアップ用の外部記憶装置を用いて前記本体が動作をしていないときにバックアップ動作を自動で行い、記憶装置の故障時に記憶装置と外部記憶装置とが切替手段で切り替えられると画像処理動作を行うことを特徴とする画像処理装置のバックアップ方法。
【請求項１０】
請求項８または９記載の画像処理装置のバックアップ方法において、前記外部記憶装置の容量を確認し、前記外部記憶装置の容量が前記記憶装置の容量以上の場合は前記記憶装置と同一条件で画像処理動作させることを表示手段に表示すると共に、同一条件下での画像処理動作を行うことを特徴とする画像処理装置のバックアップ方法。
【請求項１１】
請求項８または９記載の画像処理装置のバックアップ方法において、外部記憶装置の容量を確認し、前記外部記憶装置の容量が前記記憶装置の容量未満の場合は前記外部記憶装置を制約付で動作させることを表示手段に表示すると共に、制約付での画像処理動作を行うことを特徴とする画像処理装置のバックアップ方法。
【請求項１２】
請求項８または９記載の画像処理装置のバックアップ方法において、前記外部記憶装置にテスト書き込みと読み込みとを行い、前記記憶装置のスペックと前記外部記憶装置のスペックとを比較して、制約付での動作になるか否かを判断し、その結果を表示手段に表示することを特徴とする画像処理装置のバックアップ方法。
【請求項１３】
請求項８または９記載の画像処理装置のバックアップ方法において、前記記憶装置を前記外部記憶装置に切り替える際に、故障した前記記憶装置の電源を遮断することを特徴とする画像処理装置のバックアップ方法。
【請求項１４】
請求項８または９記載の画像処理装置のバックアップ方法において、故障した前記記憶装置が正常な記憶装置と交換されると、前記外部記憶装置から正常な記憶装置へデータを書き戻すことで故障時のデータを引き継いで復旧させることを特徴とする画像処理装置のバックアップ方法。
【請求項１５】
本体にデータを記憶する記憶装置を備えた画像処理装置のバックアッププログラムにおいて、前記本体の制御手段は、前記本体に外部記憶装置が接続されると前記記憶装置に記憶されたデータを前記外部記憶装置に記憶する処理と、前記外部記憶装置に換えて前記記憶装置を使用可能とすべく装置内部の接続を切り替える処理とを実行させることを特徴とする画像処理装置のバックアッププログラム。
【請求項１６】
画像処理装置の本体に搭載されている記憶装置のバックアッププログラムにおいて、本体の制御手段は、汎用インターフェースを用いて外部に着脱可能なバックアップ用の外部記憶装置が取り付けられると前記本体が動作をしていないときにバックアップ動作を自動で行う処理を実行させ、前記外部記憶装置と故障した記憶装置とが切替手段で切り替えられると画像処理動作を実行させることを特徴とする画像処理装置のバックアッププログラム。
【請求項１７】
請求項１５または１６記載の画像処理装置のバックアッププログラムにおいて、前記制御手段は、前記外部記憶装置の容量を確認する処理、前記外部記憶装置の容量が前記記憶装置の容量以上の場合は前記記憶装置と同一条件で動作させることを表示手段に表示させる処理、前記記憶装置と同一条件での画像処理を実行させることを特徴とする画像処理装置のバックアッププログラム。
【請求項１８】
請求項１５または１６記載の画像処理装置のバックアッププログラムにおいて、前記制御手段は、外部記憶装置の容量を確認する処理、前記外部記憶装置の容量が前記記憶装置の容量未満の場合は制約付で動作させることを表示手段に表示させる処理、制約付での画像処理を実行させることを特徴とする画像処理装置のバックアッププログラム。
【請求項１９】
請求項１５または１６記載の画像処理装置のバックアッププログラムにおいて、前記制御手段は、外部記憶装置にテスト書き込みと読み込みとを行う処理、前記記憶装置のスペックと前記外部記憶装置のスペックとを比較する処理、制約付での動作になるか否かを判断する処理、その結果を表示手段に表示する処理を実行させることを特徴とする画像処理装置のバックアッププログラム。
【請求項２０】
請求項１５または１６記載の画像処理装置のバックアッププログラムにおいて、前記制御手段は、故障した記憶装置を前記外部記憶装置に切り替える際に、故障した前記記憶装置の電源を遮断する処理を実行させることを特徴とする画像処理装置のバックアッププログラム。
【請求項２１】
請求項１５または１６記載の画像処理装置のバックアッププログラムにおいて、前記制御手段は、故障した前記記憶装置が正常な記憶装置と交換されると、前記外部記憶装置から前記正常な記憶装置へデータを書き戻すことにより、故障時のデータを引き継いで復旧させる処理を実行させることを特徴とする画像処理装置のバックアッププログラム。
【請求項２２】
請求項１５から２１のいずれか１項記載のバックアッププログラムを記録したことを特徴とする記録媒体。
【発明の詳細な説明】
【技術分野】
【０００１】
本発明は、画像処理装置、画像処理装置のバックアップ方法、バックアッププログラム、及び記録媒体に関する。
【背景技術】
【０００２】
近年、ＭＦＰ（Multi Function Printer）に代表される画像処理装置において、データの記憶領域としてハードディスクなどの記憶装置が使用されるようになっている（例えば、特許文献１参照。）。
図６は、従来の画像処理装置の制御部を構成するブロック図である。
複写機の制御部は画像処理ボード２０１に搭載されたＣＰＵ２０２により、ユニット毎に配置されたボードに搭載されたＣＰＵ２０２を介して各ユニットを構成する機器を統括して制御する。すなわち複写機の制御部は複写機の上面に設けられた操作パネルを管理するオペレーションパネルボード２２８、複写機内の各機器を管理するマシンコントロールボード２３１、光電変換素子を周辺部品と共に搭載したＣＣＤボード２１０、画像データに対して各種の画像処理を施すＣＰＵを周辺部品と共に搭載した画像処理ボード２０１によって構成されている。
【０００３】
以下に複写機におけるコピーモードの画像データの処理について説明する。ＲＡＤＦ１０５を介して原稿台に給送された原稿の画像がスキャナユニット１０６で順次読み取られる。スキャナユニット１０６内のＣＣＤボード２１０上のＣＣＤ２１３がＣＣＤ制御部２１２で駆動され、その出力信号はアナログ回路２１４でゲイン調整が行われ、Ａ／Ｄ変換部２１１から８ビットの画像データとして画像処理ボードに送られる。
【０００４】
画像処理部２０４において所定の画像処理が施された後、画像蓄積制御２０５により、一時的にメモリ２０６に蓄えられる。メモリ２０６に蓄えられた画像は次にＨＤＤ１（２０８）に格納される。これらの処理がＲＡＤＦ１０５にセットされた全ての原稿について実行される。画像の読み取り終了後、ＨＤＤ１（２０８）に格納された複数枚の画像データは画像蓄積制御部２０５により、ページ順に読み出す処理が設定部数回だけ繰り返して実行され、画像処理部２０４において所定の画像処理後、レーザコントロール部２０７を介してレーザー書き込み部２０９に供給される。従って各原稿の画像を複数部ずつ画像形成する場合にも各原稿の画像についての読み取り動作を１回のみ行うだけでよい。
【特許文献１】特開２００６−３３０８０２号公報
【発明の開示】
【発明が解決しようとする課題】
【０００５】
ところで、この種のハードディスクはメカ的な装置であるがゆえに、過大な衝撃や振動、経年変化による摩耗で故障を起こすことがある。そのため、内部に保存されるデータのバックアップが重要になってきている。
しかし、従来の画像処理装置のバックアップを行うための装置は本体内に固定されていたため、取り外しが自由に出来なかった。また、電源は常時ＯＮで消費電力が高く、故障時にはユーザー側でバックアップのための装置を任意で交換することなどは出来なかった。このため、画像処理装置の故障時にはスキャニング、コピー、ファクシミリ動作等の画像処理動作を行うことができない時間（ダウンタイム）が発生していた。
【０００６】
そこで、本発明の目的は、記憶装置の故障時のダウンタイムを最小限にすることができる画像処理装置、画像処理装置のバックアップ方法、バックアッププログラム、及び記録媒体を提供することにある。
【０００７】
尚、本発明の副次的な目的は、消費電力を抑えながら、ハードディスクのバックアップをおこない、また故障発生時に切り替えを可能とすることで、使用不可能なダウンタイムを最小限に抑えること、外部接続のハードディスクの容量が本体のものより大きい場合、動作に影響がでないことをユーザーに通知し、故障が復旧するまで動作させること、外部接続のハードディスク容量が本体のそれより小さい場合、動作に制限がつくことをユーザーに通知し、故障が復旧するまで動作させること、外部接続のハードディスクのテスト書き込み、読み込み動作によってスペックを見積もり、そのスペックによって制約付の動作か否かをユーザーに通知して動作を行うこと、外部接続のハードディスクに切り替え、本体内のディスクの電源を切断することで、無駄な電力を省くこと、故障したハードディスクを交換し復旧した際に、外部接続のハードディスクを使用していたときのデータも引き継いで復旧させることにある。
【課題を解決するための手段】
【０００８】
上記課題を解決するため、請求項１記載の発明は、本体にデータを記憶する記憶装置を備えた画像処理装置において、前記本体に外部記憶装置が接続されると前記記憶装置に記憶されたデータを前記外部記憶装置に記憶する制御手段と、前記外部記憶装置に換えて記憶装置を使用可能とすべく装置内部の接続を切り替える切替手段とを備えたことを特徴とする。
【０００９】
請求項２記載の発明は、画像処理装置の本体に搭載されている記憶装置のバックアップを行う場合において、汎用インターフェースを用いて外部に着脱可能なバックアップ用の外部記憶装置が取り付けられると前記本体が動作をしていないときにバックアップ動作を自動で行う制御手段と、前記記憶装置が故障した際に、手動で本体内の記憶装置と外部記憶装置とを切り替えて画像処理動作を行う切替手段とを備えたことを特徴とする。
【００１０】
請求項３記載の発明は、請求項１または２記載の発明において、制御手段は、前記外部記憶装置の容量が前記記憶装置の容量以上の場合は前記外部記憶装置を前記記憶装置と同一条件で動作させることを表示手段に表示すると共に、同一条件下での画像処理動作を行うことを特徴とする。
【００１１】
請求項４記載の発明は、請求項１または２記載の発明において、制御手段は、前記外部記憶装置の容量が前記記憶装置の容量未満の場合は前記外部記憶装置を制約付で動作させることを表示手段に表示すると共に、制約付での動作を行うことを特徴とする。
【００１２】
請求項５記載の発明は、請求項１または２記載の発明において、制御手段は、外部記憶装置にテスト書き込みと読み込みとを行い、前記記憶装置のスペックと前記外部記憶装置のスペックとを比較して、制約付での動作になるか否かの判断結果を表示手段に表示することを特徴とする。
【００１３】
請求項６記載の発明は、請求項１または２記載の発明において、制御手段は、外部記憶装置に切り替える際に、故障した前記記憶装置の電源を遮断することを特徴とする。
【００１４】
請求項７記載の発明は、制御手段は、故障した前記記憶装置が正常な記憶装置と交換されると、前記外部記憶装置からデータを書き戻し、故障時のデータを引き継いで復旧させることを特徴とする。
【００１５】
請求項８記載の発明は、本体にデータを記憶する記憶装置を備えた画像処理装置のバックアップ方法において、前記本体に外部記憶装置が接続されると前記記憶装置に記憶されたデータを前記外部記憶装置に記憶し、切替手段により前記外部記憶装置に換えられると前記記憶装置を使用可能とすべく装置内部の接続を切り替えることを特徴とする。
【００１６】
請求項９記載の発明は、画像処理装置の本体に搭載されている記憶装置のバックアップ方法において、汎用インターフェースを用いて外部に着脱可能に取り付けられたバックアップ用の外部記憶装置を用いて前記本体が動作をしていないときにバックアップ動作を自動で行い、記憶装置の故障時に記憶装置と外部記憶装置とが切替手段で切り替えられると画像処理動作を行うことを特徴とする。
【００１７】
請求項１０記載の発明は、請求項８または９記載の発明において、前記外部記憶装置の容量を確認し、前記外部記憶装置の容量が前記記憶装置の容量以上の場合は前記記憶装置と同一条件で画像処理動作させることを表示手段に表示すると共に、同一条件下での画像処理動作を行うことを特徴とする。
【００１８】
請求項１１記載の発明は、請求項８または９記載の画像処理装置のバックアップ方法において、外部記憶装置の容量を確認し、前記外部記憶装置の容量が前記記憶装置の容量未満の場合は前記外部記憶装置を制約付で動作させることを表示手段に表示すると共に、制約付での画像処理動作を行うことを特徴とする。
【００１９】
請求項１２記載の発明は、請求項８または９記載の発明において、前記外部記憶装置にテスト書き込みと読み込みとを行い、前記記憶装置のスペックと前記外部記憶装置のスペックとを比較して、制約付での動作になるか否かを判断し、その結果を表示手段に表示することを特徴とする。
【００２０】
請求項１３記載の発明は、請求項８または９記載の発明において、前記記憶装置を前記外部記憶装置に切り替える際に、故障した前記記憶装置の電源を遮断することを特徴とする。
【００２１】
請求項１４記載の発明は、請求項８または９記載の発明において、故障した前記記憶装置が正常な記憶装置と交換されると、前記外部記憶装置から正常な記憶装置へデータを書き戻すことで故障時のデータを引き継いで復旧させることを特徴とする。
【００２２】
請求項１５記載の発明は、本体にデータを記憶する記憶装置を備えた画像処理装置のバックアッププログラムにおいて、前記本体の制御手段は、前記本体に外部記憶装置が接続されると前記記憶装置に記憶されたデータを前記外部記憶装置に記憶する処理と、前記外部記憶装置に換えて前記記憶装置を使用可能とすべく装置内部の接続を切り替える処理とを実行させることを特徴とする。
【００２３】
請求項１６記載の発明は、画像処理装置の本体に搭載されている記憶装置のバックアッププログラムにおいて、本体の制御手段は、汎用インターフェースを用いて外部に着脱可能なバックアップ用の外部記憶装置が取り付けられると前記本体が動作をしていないときにバックアップ動作を自動で行う処理を実行させ、前記外部記憶装置と故障した記憶装置とが切替手段で切り替えられると画像処理動作を実行させることを特徴とする。
【００２４】
請求項１７記載の発明は、請求項１５または１６記載の発明において、前記制御手段は、前記外部記憶装置の容量を確認する処理、前記外部記憶装置の容量が前記記憶装置の容量以上の場合は前記記憶装置と同一条件で動作させることを表示手段に表示させる処理、前記記憶装置と同一条件での画像処理を実行させることを特徴とする。
【００２５】
請求項１８記載の発明は、請求項１５または１６記載の発明において、前記制御手段は、外部記憶装置の容量を確認する処理、前記外部記憶装置の容量が前記記憶装置の容量未満の場合は制約付で動作させることを表示手段に表示させる処理、制約付での画像処理を実行させることを特徴とする。
【００２６】
請求項１９記載の発明は、請求項１５または１６記載の発明において、前記制御手段は、外部記憶装置にテスト書き込みと読み込みとを行う処理、前記記憶装置のスペックと前記外部記憶装置のスペックとを比較する処理、制約付での動作になるか否かを判断する処理、その結果を表示手段に表示する処理を実行させることを特徴とする。
【００２７】
請求項２０記載の発明は、請求項１５または１６記載の発明において、前記制御手段は、故障した記憶装置を前記外部記憶装置に切り替える際に、故障した前記記憶装置の電源を遮断する処理を実行させることを特徴とする。
【００２８】
請求項２１記載の発明は、請求項１５または１６記載の発明において、前記制御手段は、故障した前記記憶装置が正常な記憶装置と交換されると、前記外部記憶装置から前記正常な記憶装置へデータを書き戻すことにより、故障時のデータを引き継いで復旧させる処理を実行させることを特徴とする。
【００２９】
請求項２２記載の発明は、上記いずれかに記載のバックアッププログラムを記録した記録媒体であることを特徴とする。
【発明の効果】
【００３０】
本発明によれば、画像処理装置の本体に外部記憶装置を接続することで、記憶装置のバックアップを行い、また記憶装置に故障が発生した時に故障した記憶装置と外部記憶装置との切り替えを可能としているため、画像処理装置の使用不可能なダウンタイムを最小限に抑えることができる。
【発明を実施するための最良の形態】
【００３１】
本発明の画像処理装置に係る一実施の形態は、本体にデータを記憶する記憶装置を備えた画像処理装置において、本体に外部記憶装置が接続されると記憶装置に記憶されたデータを外部記憶装置に記憶する制御手段と、外部記憶装置に換えて記憶装置を使用可能とすべく装置内部の接続を切り替える切替手段とを備えたことを特徴とする。
画像処理装置としては、例えば複写機、ファクシミリ装置、スキャナが挙げられる。
記憶装置としては、例えばハードディスクドライブ（ＨＤＤ）が挙げられる。
外部記憶装置としては、例えばＨＤＤ、ＵＳＢ（Universal Serial Bus）フラッシュメモリが挙げられる。
制御手段としては、例えばＣＰＵ（Central Processing Unit）が挙げられる。
切替手段としては、例えば操作部のキーボタンが挙げられる。
【００３２】
上記構成によれば、本体に外部記憶装置が接続されると記憶装置に記憶されたデータを外部記憶装置に記憶する制御手段と、外部記憶装置に換えて記憶装置を使用可能とすべく装置内部の接続を切り替える切替手段とを備えたことにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００３３】
本発明の画像処理装置に係る他の実施の形態は、画像処理装置の本体に搭載されている記憶装置のバックアップを行う場合において、汎用インターフェースを用いて外部に着脱可能なバックアップ用の外部記憶装置が取り付けられると前記本体が動作をしていないときにバックアップ動作を自動で行う制御手段と、記憶装置が故障した際に、手動で本体内の記憶装置と外部記憶装置とを切り替えて画像処理動作を行う切替手段とを備えたことを特徴とする。
【００３４】
上記構成によれば、汎用インターフェースを用いて外部に着脱可能なバックアップ用の外部記憶装置が取り付けられると本体が動作をしていないときにバックアップ動作を自動で行う制御手段と、記憶装置が故障した際に、手動で本体内の記憶装置と外部記憶装置とを切り替えて画像処理動作を行う切替手段とを備えたことにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００３５】
本発明の画像処理装置に係る他の実施の形態は、上記構成に加え、制御手段は、外部記憶装置の容量が記憶装置の容量以上の場合は外部記憶装置を記憶装置と同一条件で動作させることを表示手段に表示すると共に、同一条件下での画像処理動作を行うことを特徴とする。
表示手段としては、例えば操作部の液晶表示装置（ＬＣＤ）が挙げられる。
【００３６】
上記構成によれば、外部記憶装置の容量が記憶装置の容量以上の場合は外部記憶装置を記憶装置と同一条件で動作させることを表示手段に表示すると共に、同一条件下での画像処理動作を行うことにより、外部記憶装置の容量が記憶装置の容量より大きい場合、動作に影響がでないことをユーザーに通知するため、故障が復旧するまで動作させることができる。
【００３７】
本発明の画像処理装置に係る他の実施の形態は、上記構成に加え、制御手段は、外部記憶装置の容量が記憶装置の容量未満の場合は外部記憶装置を制約付で動作させることを表示手段に表示すると共に、制約付での動作を行うことを特徴とする。
【００３８】
上記構成によれば、制御手段は、外部記憶装置の容量が記憶装置の容量未満の場合は外部記憶装置を制約付で動作させることを表示手段に表示すると共に、制約付での動作を行うことにより、外部記憶装置の容量が記憶装置の容量より小さい場合、動作に制限がつくことをユーザーに通知するため、故障が復旧するまで動作させることができる。
【００３９】
本発明の画像処理装置に係る他の実施の形態は、上記構成に加え、制御手段は、外部記憶装置にテスト書き込みと読み込みとを行い、記憶装置のスペックと外部記憶装置のスペックとを比較して、制約付での動作になるか否かの判断結果を表示手段に表示することを特徴とする。
【００４０】
上記構成によれば、制御手段は、外部記憶装置にテスト書き込みと読み込みとを行い、記憶装置のスペックと外部記憶装置のスペックとを比較して、制約付での動作になるか否かの判断結果を表示手段に表示することにより、外部接続のハードディスクのテスト書き込み、読み込み動作によってスペックを見積もることで、制約付の動作か否かをユーザーに通知し、動作を行うことができる。
【００４１】
本発明の画像処理装置に係る他の実施の形態は、上記構成に加え、制御手段は、外部記憶装置に切り替える際に、故障した記憶装置の電源を遮断することを特徴とする。
【００４２】
上記構成によれば、外部記憶装置に切り替えて、本体内の記憶装置の電源を切断することで、無駄な電力を省くことができる。
【００４３】
本発明の画像処理装置に係る他の実施の形態は、上記構成に加え、制御手段は、故障した記憶装置が正常な記憶装置と交換されると、外部記憶装置からデータを書き戻し、故障時のデータを引き継いで復旧させることを特徴とする。
【００４４】
上記構成によれば、故障した記憶装置を正常な記憶装置に交換し復旧した際に、外部記憶装置を使用していたときのデータを正常な記憶装置に引き継ぐことで、復旧させることができる。
【００４５】
本発明に係る画像処理装置のバックアップ方法の一実施の形態は、本体にデータを記憶する記憶装置を備えた画像処理装置のバックアップ方法において、本体に外部記憶装置が接続されると記憶装置に記憶されたデータを外部記憶装置に記憶し、切替手段により外部記憶装置に換えられると記憶装置を使用可能とすべく装置内部の接続を切り替えることを特徴とする。
【００４６】
上記構成によれば、記憶装置の故障時に、本体に外部記憶装置が接続されると記憶装置に記憶されたデータを外部記憶装置に記憶し、切替手段により外部記憶装置に換えられると記憶装置を使用可能とすべく装置内部の接続を切り替えることにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００４７】
本発明に係る画像処理装置のバックアップ方法の他の実施の形態は、画像処理装置の本体に搭載されている記憶装置のバックアップ方法において、汎用インターフェースを用いて外部に着脱可能に取り付けられたバックアップ用の外部記憶装置を用いて本体が動作をしていないときにバックアップ動作を自動で行い、記憶装置の故障時に記憶装置と外部記憶装置とが切替手段で切り替えられると画像処理動作を行うことを特徴とする。
【００４８】
上記構成によれば、汎用インターフェースを用いて外部に着脱可能に取り付けられたバックアップ用の外部記憶装置を用いて本体が動作をしていないときにバックアップ動作を自動で行い、記憶装置の故障時に記憶装置と外部記憶装置とが切替手段で切り替えられると画像処理動作を行うことにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００４９】
本発明に係る画像処理装置のバックアップ方法の他の実施の形態は、上記構成に加え、外部記憶装置の容量を確認し、外部記憶装置の容量が記憶装置の容量以上の場合は記憶装置と同一条件で画像処理動作させることを表示手段に表示すると共に、同一条件下での画像処理動作を行うことを特徴とする。
【００５０】
上記構成によれば、外部記憶装置の容量を確認し、外部記憶装置の容量が記憶装置の容量以上の場合は記憶装置と同一条件で画像処理動作させることを表示手段に表示すると共に、同一条件下での画像処理動作を行うことにより、外部記憶装置の容量が記憶装置の容量より大きい場合、動作に影響がでないことをユーザーに通知するため、故障が復旧するまで動作させることができる。
【００５１】
本発明に係る画像処理装置のバックアップ方法の他の実施の形態は、上記構成に加え、外部記憶装置の容量を確認し、外部記憶装置の容量が記憶装置の容量未満の場合は外部記憶装置を制約付で動作させることを表示手段に表示すると共に、制約付での画像処理動作を行うことを特徴とする。
【００５２】
上記構成によれば、外部記憶装置の容量を確認し、外部記憶装置の容量が記憶装置の容量未満の場合は外部記憶装置を制約付で動作させることを表示手段に表示すると共に、制約付での画像処理動作を行うことにより、外部記憶装置の容量が記憶装置の容量より小さい場合、動作に制限がつくことをユーザーに通知するため、故障が復旧するまで動作させることができる。
【００５３】
本発明に係る画像処理装置のバックアップ方法の他の実施の形態は、上記構成に加え、外部記憶装置にテスト書き込みと読み込みとを行い、記憶装置のスペックと外部記憶装置のスペックとを比較して、制約付での動作になるか否かを判断し、その結果を表示手段に表示することを特徴とする。
【００５４】
上記構成によれば、外部記憶装置にテスト書き込みと読み込みとを行い、記憶装置のスペックと外部記憶装置のスペックとを比較して、制約付での動作になるか否かを判断し、その結果を表示手段に表示することにより、外部接続のハードディスクのテスト書き込み、読み込み動作によってスペックを見積もることで、制約付の動作か否かをユーザーに通知し、動作を行うことができる。
【００５５】
本発明に係る画像処理装置のバックアップ方法の他の実施の形態は、上記構成に加え、記憶装置を外部記憶装置に切り替える際に、故障した記憶装置の電源を遮断することを特徴とする。
【００５６】
上記構成によれば、外部記憶装置に切り替えて、本体内の記憶装置の電源を切断することで、無駄な電力を省くことができる。
【００５７】
本発明に係る画像処理装置のバックアップ方法の他の実施の形態は、上記構成に加え、故障した記憶装置が正常な記憶装置と交換されると、外部記憶装置から正常な記憶装置へデータを書き戻すことで故障時のデータを引き継いで復旧させることを特徴とする。
【００５８】
上記構成によれば、故障した記憶装置を正常な記憶装置に交換し復旧した際に、外部記憶装置を使用していたときのデータを正常な記憶装置に引き継ぐことで、復旧させることができる。
【００５９】
本発明に係る画像処理装置のバックアッププログラムの一実施の形態は、本体にデータを記憶する記憶装置を備えた画像処理装置のバックアッププログラムにおいて、本体の制御手段は、本体に外部記憶装置が接続されると記憶装置に記憶されたデータを外部記憶装置に記憶する処理と、外部記憶装置に換えて記憶装置を使用可能とすべく装置内部の接続を切り替える処理とを実行させることを特徴とする。
【００６０】
上記構成によれば、本体の制御手段は、本体に外部記憶装置が接続されると記憶装置に記憶されたデータを外部記憶装置に記憶する処理と、外部記憶装置に換えて記憶装置を使用可能とすべく装置内部の接続を切り替える処理とを実行させることにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００６１】
本発明に係る画像処理装置のバックアッププログラムの他の実施の形態は、画像処理装置の本体に搭載されている記憶装置のバックアッププログラムにおいて、本体の制御手段は、汎用インターフェースを用いて外部に着脱可能なバックアップ用の外部記憶装置が取り付けられると本体が動作をしていないときにバックアップ動作を自動で行う処理を実行させ、外部記憶装置と故障した記憶装置とが切替手段で切り替えられると画像処理動作を実行させることを特徴とする。
【００６２】
上記構成によれば、本体の制御手段は、汎用インターフェースを用いて外部に着脱可能なバックアップ用の外部記憶装置が取り付けられると本体が動作をしていないときにバックアップ動作を自動で行う処理を実行させ、外部記憶装置と故障した記憶装置とが切替手段で切り替えられると画像処理動作を実行させることにより、記憶装置の故障時に、その故障した記憶装置を正常な記憶装置に交換するまでの間、外部記憶装置が故障した記憶装置の代わりに動作するので、画像処理装置の使用不可能なダウンタイムを最小限に抑えることができる。
【００６３】
本発明に係る画像処理装置のバックアッププログラムの他の実施の形態は、上記構成に加え、制御手段は、外部記憶装置の容量を確認する処理、外部記憶装置の容量が記憶装置の容量以上の場合は記憶装置と同一条件で動作させることを表示手段に表示させる処理、記憶装置と同一条件での画像処理を実行させることを特徴とする。
【００６４】
上記構成によれば、制御手段は、外部記憶装置の容量を確認する処理、外部記憶装置の容量が記憶装置の容量以上の場合は記憶装置と同一条件で動作させることを表示手段に表示させる処理、記憶装置と同一条件での画像処理を実行させることにより、外部記憶装置の容量が記憶装置の容量より大きい場合、動作に影響がでないことをユーザーに通知するため、故障が復旧するまで動作させることができる。
【００６５】
本発明に係る画像処理装置のバックアッププログラムの他の実施の形態は、上記構成に加え、制御手段は、外部記憶装置の容量を確認する処理、外部記憶装置の容量が記憶装置の容量未満の場合は制約付で動作させることを表示手段に表示させる処理、制約付での画像処理を実行させることを特徴とする。
【００６６】
上記構成によれば、制御手段は、外部記憶装置の容量を確認する処理、外部記憶装置の容量が記憶装置の容量未満の場合は制約付で動作させることを表示手段に表示させる処理、制約付での画像処理を実行させることにより、外部記憶装置の容量が記憶装置の容量より小さい場合、動作に制限がつくことをユーザーに通知するため、故障が復旧するまで動作させることができる。
【００６７】
本発明に係る画像処理装置のバックアッププログラムの他の実施の形態は、上記構成に加え、制御手段は、外部記憶装置にテスト書き込みと読み込みとを行う処理、記憶装置のスペックと外部記憶装置のスペックとを比較する処理、制約付での動作になるか否かを判断する処理、その結果を表示手段に表示する処理を実行させることを特徴とする。
【００６８】
上記構成によれば、制御手段は、外部記憶装置にテスト書き込みと読み込みとを行う処理、記憶装置のスペックと外部記憶装置のスペックとを比較する処理、制約付での動作になるか否かを判断する処理、その結果を表示手段に表示する処理を実行させることにより、外部接続のハードディスクのテスト書き込み、読み込み動作によってスペックを見積もることで、制約付の動作か否かをユーザーに通知し、動作を行うことができる。
【００６９】
本発明に係る画像処理装置のバックアッププログラムの他の実施の形態は、上記構成に加え、制御手段は、故障した記憶装置を外部記憶装置に切り替える際に、故障した記憶装置の電源を遮断する処理を実行させることを特徴とする。
【００７０】
上記構成によれば、本体内の記憶装置の電源を切断することで、無駄な電力を省くことができる。
【００７１】
本発明に係る画像処理装置のバックアッププログラムの他の実施の形態は、上記構成に加え、制御手段は、故障した記憶装置が正常な記憶装置と交換されると、外部記憶装置から正常な記憶装置へデータを書き戻すことにより、故障時のデータを引き継いで復旧させる処理を実行させることを特徴とする。
【００７２】
上記構成によれば、故障した記憶装置を正常な記憶装置に交換し復旧した際に、外部記憶装置を使用していたときのデータを正常な記憶装置に引き継ぐことで、復旧させることができる。
【００７３】
本発明に係る記録媒体の一実施の形態は、上記いずれかに記載のバックアッププログラムを記録した記録媒体であることを特徴とする。
【００７４】
＜プログラム及び記録媒体＞
以上で説明した本発明の画像処理装置は、制御手段でバックアップ処理を実行させるプログラムによって実現されている。制御手段としては、例えばＣＰＵが挙げられるが、本発明はこれに限定されるものではなく、パーソナルコンピュータやワークステーションなどの汎用的なものが挙げられる。
【００７５】
これにより、バックアッププログラムが実行可能なコンピュータ環境さえあれば、どこにおいても本発明の画像処理装置を実現することができる。
このようなバックアッププログラムは、コンピュータに読み取り可能な記憶媒体に記憶されていてもよい。
ここで、記録媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００７６】
なお、上述した実施の形態は、本発明の好適な実施の形態の一例を示すものであり、本発明はそれに限定されることなく、その要旨を逸脱しない範囲内において、種々変形実施が可能である。
【実施例１】
【００７７】
図１は、本発明に係る画像処理装置の一実施例を表す概念図である。図２（ａ）〜（ｄ）は、図１に示した画像処理装置の操作部の説明図である。
同図において、画像処理装置本体４００内にデータを記憶する記憶装置としてのハードディスクＨＤＤ１（２０８）が搭載されている。Ｉ／Ｆ（Inter Face）としてのＵＳＢ  Ｐｈｙ（USB Physical layer:USB物理層）３０３を介して外部記憶装置としてのハードディスクＨＤＤ２（３００）が画像処理装置本体４００に接続されている。
ハードディスクＨＤＤ１（２０８）は通常時、図には示されていないスキャナからの画像データをＡＳＩＣ２０４を介して一時的に保存する。ハードディスクＨＤＤ２（３００）はハードディスクＨＤＤ１の故障時、図には示されていないスキャナからの画像データをＡＳＩＣ２０４を介して一時的に保存する。
画像データの形式はＰＡＴＡ（Parallel A T A）もしくはＳＡＴＡ（Serial AT Attachment）に基づくものである。
【００７８】
２０４はＡＳＩＣ（Application Specific Integrated Circuit：専用集積回路）であってＣＰＵ２０２の指示に従って画像処理装置本体４００を統括制御する。
操作部２２５は表示部としてのＬＣＤ（液晶表示素子）及び操作キー２２４など画像処理装置本体４００の操作に必要な部材を有する。
３０７はＰＳＵ（Power Supply Unit）電源である。説明のため図ではＨＤＤ２０８にのみしか接続されていないが、実際には他の回路にも接続されている。ＰＳＵ３０７とＨＤＤ２０８との間の電源ラインには、ＡＳＩＣ２０４からの指示により、ＨＤＤ２０８への電源を遮断するための遮断装置（例えば、アナログスイッチ、リレー）が挿入されている。
【００７９】
ＲＡＭ（Random Access Memory）２０３は画像データ以外のデータ（例えば、コピー枚数、倍率、用紙種類、濃度、両面、片面等のデータ）を格納するためのメモリである。
ＮＩＣ（Network Information Center）Ｐｈｙ３０４は画像処理装置本体４００をインターネット接続するためのインターフェイスである。画像処理装置本体４００をインターネット網３０５を介して外部のパーソナルコンピュータＰＣ３０６（図では１台であるが限定されない。）で操作できるようになっている。
【００８０】
実施例１では、データのバックアップを、画像処理装置本体４００の動作（例えば、コピー）が行われていないとき（待機中）に、ハードディスクＨＤＤ１（２０８）からハードディスクＨＤＤ２（３００）に向かう方向で行い、ハードディスクＨＤＤ１（２０８）が故障が発生した際にはハードディスクＨＤＤ１（２０８）を使用せずにハードディスクＨＤＤ２（３００）をメインとして使用するように切り替えるものである。
ハードディスクＨＤＤ１（２０８）からハードディスクＨＤＤ２（３００）への切り替えはユーザーが操作部２２５のボタン操作（手動）で行われる。
ハードディスクＨＤＤ１（２０８）が正常に動作する場合には、例えば、図２（ａ）に示すように操作パネル２２５のＬＣＤ２２３にはセット枚数（この場合50枚）、用紙サイズ（この場合Ａ４／横向き）、倍率（この場合１００％／等倍）等が例えばポップアップ表示される（図では部分的に表示されるが、全面表示されてもよい。）。
【００８１】
ハードディスクＨＤＤ１（２０８）が故障すると、外部ＨＤＤとしてのハードディスクＨＤＤ２（３００）の容量が記憶装置としてのハードディスクＨＤＤ１（２０８）の容量より小さい場合には、例えば、図２（ｂ）に示すようにＬＣＤ２２３に「ＨＤＤが故障しました。スタートボタンを押すと外部のＨＤＤに切り替わります。」とポップアップ表示され、ユーザーがスタートボタンを押すと、例えば、図２（ｃ）に示すように「２０％コピー速度が低下しました。蓄積枚数が３０％低下しました。」と所定時間（例えば、コピー動作時間）だけポップアップ表示される。
【００８２】
コピー動作が終了すると、図２（ｄ）に示すようにハードディスクＨＤＤ１（２０８）の修理交換が終了するまでの間、ＬＣＤ２２３には「ＨＤＤ故障中」の文字が表示される。
【００８３】
尚、外部ＨＤＤとしてのハードディスクＨＤＤ２（３００）の容量が記憶装置としてのハードディスクＨＤＤ１（２０８）の容量より大きいか等しい場合には、図２（ｂ）の表示後に図２（ｃ）の表示は行わずに図２（ｄ）に移行する。
【００８４】
尚、本実施例においてはハードディスクＨＤＤ１（２０８）を手動でハードディスクＨＤＤ２（３００）に切り替える場合で説明したが、本発明はこれに限定されるものではなく、自動で切り替えるように構成してもよい。また、本実施例ではハードディスクＨＤＤ１（２０８）が故障した場合で説明したが、容量オーバーする場合であってもよい。但しこの場合にはハードディスクＨＤＤ２（３００）の容量がハードディスクＨＤＤ１（２０８）の容量より大きいことを前提とする。
【実施例２】
【００８５】
図３は、本発明に係る画像処理方法の一実施例を表すフローチャートである。
同図に示す制御の主体は図１に示した画像形成処理装置本体内の制御手段としてのＣＰＵ２０２である。ＣＰＵ２０２は、ハードディスクＨＤＤ１（２０８）の故障発生時に、ハードディスクＨＤＤ１（２０８）の容量よりハードディスクＨＤＤ２（３００）の容量が大きいか否かをチェックする（ステップＳ１）。
ＣＰＵ２０２はハードディスクＨＤＤ１（２０８）の容量よりハードディスクＨＤＤ２（３００）の容量が大きいと判断した場合（ステップＳ１／ｙｅｓ）は、動作に制約なしであることを、ＬＣＤ２２３を介してユーザーに通知（ステップＳ２）し、ハードディスクＨＤＤ１（２０８）の容量よりハードディスクＨＤＤ２（３００）の容量が大きくないと判断した場合（ステップＳ１／ｎｏ）は制約付になることを、ＬＣＤ２２３を介してユーザーに通知（Ｓ３）する。
ここで、制約とはコピー速度及び原稿画像データの蓄積枚数を意味する。
【実施例３】
【００８６】
図４は、本発明に係る画像処理方法の他の実施例を表すフローチャートである。
ＣＰＵ２０２は、ハードディスクＨＤＤ２（２０８）のパフォーマンス（スペック）をテスト書き込み（ステップＳ４）、読み込みで検査し、その結果により充分な性能がある場合は制約なしであることを、ＬＣＤ２２３を介してユーザーに通知し（ステップＳ５）、充分な性能がない場合は制約ありであることを、ＬＣＤ２２３を介してユーザーに通知（ステップＳ６）する。
【実施例４】
【００８７】
本実施例では図１に示した装置において、ハードディスクＨＤＤ１（２０８）の故障発生時にＨＤＤ１（２０８）のＰＳＵ３０７からの電源を切断するものである（例えば、汎用ポートで電源を遮断することが挙げられる。遮断装置としては例えば、アナログスイッチ、リレーが挙げられる。）。
【実施例５】
【００８８】
本実施例は図１に示した装置において、ハードディスクＨＤＤ１（２０８）の故障復旧時にハードディスクＨＤＤ２（３００）のデータをハードディスクＨＤＤ１（２０８）に書き戻すものである。データの書き戻しは自動的に行われてもよく、操作パネルの図示しない操作キーの手動操作で行われてもよい。
【実施例６】
【００８９】
図５は、本発明の実施例に関わる画像処理装置としてのディジタル複写機の構成を示す簡略的な図である。
ディジタル複写機はスキャナ部１０１とレーザー記録部１０２とで画像の形成、用紙への印字を行い、後処理部１０３で出力紙揃え、ステープル、パンチ穴の処理が行われる。
スキャナ部１０１は透明ガラス体の原稿台１０４、原稿台の上面の原稿を給送する自動両面原稿送り装置１０５（以下、ＲＡＤＦという。）、原稿台の上面に載置された原稿の画像を読み取るスキャナユニット１０６によって構成されている。
【００９０】
スキャナ部１０１において読み取られた画像データは、レーザー記録部１０２に出力される。ＲＡＤＦ１０５は図外の原稿トレーから原稿台を経由して図外の排出トレーに至る片面原稿給送路、スキャナユニット１０６による片面の画像の読み取りが完了した原稿の表裏面を反転して再度原稿台に導く両面原稿給送路を有し、片面、両面の原稿どちらでも対応できる。スキャナユニット１０６は原稿をランプで照射し、レンズ、ミラー等で原稿の反射光を光電変換素子の受光面に結像させる。光電変換素子は原稿の画像面における反射光を電気信号に変換し、後述する画像処理部に出力する。
【００９１】
レーザー記録部１０２は用紙を搬送する用紙搬送部１０７、レーザー書き込みユニット１０８及び電子写真プロセス部（画像形成部）１０９を備えている。用紙搬送部１０７は用紙の両面に画像を形成する両面複写モード時、定着ローラを通過した用紙を表裏面を反転して再度電子写真プロセス部に導く副搬送路を備えている。
【００９２】
レーザー書き込みユニット１０８は画像処理部から供給される画像データに基づいてレーザー光を照射する半導体レーザー、半導体レーザーから照射された光をミラーやレンズを通して電子写真プロセス部１０９の感光体ドラム表面に配光する。感光ドラム表面は静電潜像が形成され、現像装置からトナーが供給されることにより、トナー画像に顕在化される。
【００９３】
このトナー画像は用紙搬送部１０７から導かれた用紙上に転写され、その後、定着ローラにより、加熱及び加圧を受け、トナー画像が溶融して用紙の表面に定着する。このように用紙に書き込みが終了した後、後処理部１０３にて一部分の出力用紙が揃えられ、ステープル、パンチ穴の処理が行われ、トレーに排出される。
【００９４】
〔作用効果〕
外部にハードディスクを接続することで、ハードディスクのバックアップをおこない、また故障発生時に切り替えを可能としているため、使用不可能なダウンタイムを最小限に抑えることができる。
【００９５】
外部接続のハードディスクの容量が本体のものより大きい場合、動作に影響がでないことをユーザーに通知するため、故障が復旧するまで動作させることができる。
【００９６】
外部接続のハードディスク容量が本体のそれより小さい場合、動作に制限がつくことをユーザーに通知するため、故障が復旧するまで動作させることができる。
【００９７】
外部接続のハードディスクのテスト書き込み、読み込み動作によってスペックを見積もることで、制約付の動作か否かをユーザーに通知し、動作を行える。
【００９８】
外部接続のハードディスクに切り替え、本体内のディスクの電源を切断することで、無駄な電力を省くことができる。
【００９９】
故障したハードディスクを交換し復旧した際に、外部接続のハードディスクを使用していたときのデータも引き継ぐことで、復旧させることができる。
【産業上の利用可能性】
【０１００】
本発明は、複写機、ファクシミリ装置、スキャナ、スキャナープリンタなどの画像処理装置に利用できる。
【図面の簡単な説明】
【０１０１】
【図１】本発明に係る画像処理装置の一実施例を表す概念図である。
【図２】（ａ）〜（ｄ）は図１に示した画像処理装置の操作部の説明図である。
【図３】本発明に係る画像処理方法の一実施例を表すフローチャートである。
【図４】本発明に係る画像処理方法の他の実施例を表すフローチャートである。
【図５】本発明の実施例に関わる画像処理装置としてのディジタル複写機の構成を示す簡略的な図である。
【図６】従来の画像処理装置の制御部を構成するブロック図である。
【符号の説明】
【０１０２】
２０２    ＣＰＵ
２０３    ＲＡＭ
２０４    ＡＳＩＣ
２０８    ＨＤＤ１（記憶装置）
３００    ＨＤＤ２（外部記憶装置）
３０１、３０２    コネクタ
３０３    ＵＳＢＰｈｙ
３０４    ＮＩＣＰｈｙ
３０５    インターネット網
３０６    ＰＣ
３０７    ＰＳＵ
３０８    遮断装置
【図１】
2009015635.tif 000003
【図２】
2009015635.tif 000004
【図３】
2009015635.tif 000005
【図４】
2009015635.tif 000006
【図５】
2009015635.tif 000007
【図６】
2009015635.tif 000008